(57)【要約】【課題】非接触状態にて情報の読み出しが可能なＩＣチップがシート部材に埋め込まれてなるＩＣチップ入りシートにおいて、大幅なコストアップを生じさせることなく通信距離を延ばすことができるとともに、ＩＣチップに書き込まれた情報を容易に読み出す。【解決手段】  ＩＣチップ１１が埋め込まれた紙シート３０の表面の、ＩＣチップ１１が埋め込まれた領域の周囲にブースターアンテナ２０を形成する。【選択図】図１
2005352886.tif 000002
【特許請求の範囲】
【請求項１】
非接触状態にて情報の読み出しが可能なＩＣチップがシート部材に埋め込まれてなるＩＣチップ入りシートであって、
前記シート部材は、当該シート部材の表面の、前記ＩＣチップが埋め込まれた領域の周囲にブースターアンテナが形成されているＩＣチップ入りシート。
【請求項２】
請求項１に記載のＩＣチップ入りシートにおいて、
前記ブースターアンテナは、前記シート部材の一方の面に形成され、
前記シート部材の他方の面の、前記ＩＣチップが埋め込まれた領域に印刷層が形成されているＩＣチップ入りシート。
【請求項３】
非接触状態にて情報の読み出しが可能なＩＣチップが埋め込まれたシート部材と、
前記シート部材よりも大きな形状を具備し、一方の面が粘着面となって該粘着面内に前記シート部材が貼着された粘着シートとを有し、
前記シート部材は、前記ＩＣチップが埋め込まれた領域の周囲に貫通穴を具備するＩＣチップ入りシート。
【発明の詳細な説明】
【技術分野】
【０００１】
本発明は、非接触状態にて情報の読み出しが可能なＩＣチップがシート部材に埋め込まれてなるＩＣチップ入りシートに関する。
【背景技術】
【０００２】
昨今、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込み及び読み出しを行うことが可能なＩＣが搭載された非接触型ＩＣカードや非接触型ＩＣラベル、あるいは非接触型ＩＣタグがその優れた利便性から急速な普及が進みつつある。これら非接触状態にて情報の書き込み及び読み出しが可能な非接触型ＩＣカードや非接触型ＩＣラベル、非接触型ＩＣタグにおいては、近年、小型化を図るために、アンテナが内蔵され、２．４５ＧＨｚの周波数帯を利用して通信を行う微細なＩＣチップが用いられることが多くなってきている。
【０００４】
ところが、この２．４５ＧＨｚの周波数帯を利用して通信を行うＩＣチップにおいては、アンテナが内蔵されているため、外部にアンテナを設けることなく通信を行うことができるものの、その通信距離は極めて短い。そのため、ＩＣチップに対して情報の書き込みあるいは読み出しを行う場合、情報書込／読出装置をＩＣチップに近接させなければならない。
【０００５】
ここで、上述したようなＩＣチップにブースターアンテナを組み合わせ、それにより、通信距離を延ばす技術が考えられている（例えば、特許文献１参照。）。この技術においては、ＩＣチップの周囲にコイル状のブースターアンテナを形成し、ＩＣチップに内蔵されたアンテナとブースターアンテナとを電磁結合させ、それにより、通信距離を延ばすことができる。
【特許文献１】特開２００３−２５６７９８号公報
【発明の開示】
【発明が解決しようとする課題】
【０００６】
しかしながら、上述したように、ＩＣチップの周囲にコイル状のブースターアンテナを形成し、それにより、通信距離を延ばすものにおいては、ＩＣチップの周囲にコイル状のブースターアンテナを形成するための工程が複雑となり、特に、ＩＣチップが基材に埋め込まれている場合、ブースターアンテナを基材に埋め込むように形成するのは困難であり、それを実現するためにはかなりの手間とコストがかかってしまうという問題点がある。
【０００７】
また、ＩＣチップが基材に埋め込まれている場合、ＩＣチップが基材のどこに埋め込まれているかを認識することができず、ＩＣチップに書き込まれた情報を読み出すための情報読出装置をＩＣチップに近接させることが困難となってしまうという問題点がある。
【０００８】
本発明は、上述したような従来の技術が有する問題点に鑑みてなされたものであって、非接触状態にて情報の読み出しが可能なＩＣチップがシート部材に埋め込まれてなるＩＣチップ入りシートにおいて、大幅なコストアップを生じさせることなく通信距離を延ばすことができるとともに、ＩＣチップに書き込まれた情報を容易に読み出すことができるＩＣチップ入りシートを提供することを目的とする。
【課題を解決するための手段】
【０００９】
上記目的を達成するために本発明は、
非接触状態にて情報の読み出しが可能なＩＣチップがシート部材に埋め込まれてなるＩＣチップ入りシートであって、
前記シート部材は、当該シート部材の表面の、前記ＩＣチップが埋め込まれた領域の周囲にブースターアンテナが形成されている。
【００１０】
また、前記ブースターアンテナは、前記シート部材の一方の面に形成され、
前記シート部材の他方の面の、前記ＩＣチップが埋め込まれた領域に印刷層が形成されている。
【００１１】
また、非接触状態にて情報の読み出しが可能なＩＣチップが埋め込まれたシート部材と、
前記シート部材よりも大きな形状を具備し、一方の面が粘着面となって該粘着面内に前記シート部材が貼着された粘着シートとを有し、
前記シート部材は、前記ＩＣチップが埋め込まれた領域の周囲に貫通穴を具備する。
【００１２】
上記のように構成された本発明においては、シート部材に埋め込まれたＩＣチップから情報を読み出す場合、シート部材の表面に形成されたブースターアンテナに情報読出装置を近接させると、情報読出装置がＩＣチップに近接することになり、情報読出装置によってＩＣチップから情報が読み出される。また、この際、ＩＣチップに内蔵されたアンテナとブースターアンテナとが電磁結合し、通信距離が延びることになる。
【発明の効果】
【００１３】
以上説明したように本発明においては、ＩＣチップが埋め込まれたシート部材の表面にブースターアンテナが形成された構成であるため、ＩＣチップの通信距離を延ばすブースターアンテナを容易に形成することができ、大幅なコストアップを生じさせることなく通信距離を延ばすことができる。また、このブースターアンテナの位置によってＩＣチップが埋め込まれた領域を認識することができ、情報読出装置を用いてＩＣチップに書き込まれた情報を容易に読み出すことができる。
【００１４】
また、シート部材の表面の、ＩＣチップが埋め込まれた領域に印刷層が形成されているものにおいても、この印刷層が形成された位置によってＩＣチップが埋め込まれた領域を認識することができ、情報読出装置を用いてＩＣチップに書き込まれた情報を容易に読み出すことができる。
【００１５】
また、非接触状態にて情報の読み出しが可能なＩＣチップが埋め込まれたシート部材が、シート部材よりも大きな形状を具備し、一方の面が粘着面となる粘着シートの粘着面内に貼着され、シート部材のＩＣチップが埋め込まれた領域の周囲に貫通穴が設けられているものにおいては、このＩＣチップ入りシートを粘着シートによって被貼着体に貼着した場合、粘着シートの粘着面が貫通穴を介しても被貼着体に当接することになるため、ＩＣチップが埋め込まれた周囲が貫通穴を介して粘着シートによって被貼着体に貼着されることになり、それにより、ＩＣチップが被貼着体に近接し、ＩＣチップに書き込まれた情報を被貼着体側から容易に読み出すことができる。
【発明を実施するための最良の形態】
【００１６】
以下に、本発明の実施の形態について図面を参照して説明する。
【００１７】
（第１の実施の形態）
図１は、本発明のＩＣチップ入りシートの第１の実施の形態を示す図であり、（ａ）は表面から見た図、（ｂ）は（ａ）に示したＡ−Ａ’断面図である。
【００１８】
本形態は図１に示すように、非接触状態にて情報の読み出しが可能なＩＣチップ１１を有するスレッド１０が、シート部材である紙シート３０に漉き込まれて構成されており、この紙シート３０の表面のＩＣチップ１１の周囲に導電性材料からなるブースターアンテナ２０が印刷によって形成されている。ＩＣチップ１１は、半導体素子及びアンテナ（ともに不図示）が内蔵されており、ＩＣチップ１１に対して情報の読み出しを行う情報読出装置を近接させると、半導体素子に書き込まれた情報がアンテナを介して読み出される。なお、ＩＣチップ１１においては、情報の書き込みを可能に構成することも考えられ、その場合、ＩＣチップ１１に対して情報の書き込み及び読み出しを行う情報書込／読出装置をＩＣチップ１１に近接させると、半導体素子に書き込まれた情報がアンテナを介して読み出されたり、アンテナを介して半導体素子に情報が書き込まれたりする。また、ブースターアンテナ２０は、紙シート３０の表面のうちＩＣチップ１１が埋め込まれた領域の周囲に、その一部が開放されるような形状に、スクリーン印刷、電子写真方式、あるいはグラビア印刷等の印刷方式によって、導電性インキを用いて形成されている。
【００１９】
また、紙シート３０に漉き込まれたスレッド１０は、帯状の樹脂層１２上にＩＣチップ１１が搭載されてホットメルト層１３によって固着され、さらにその上に帯状の紙層１４が積層され、樹脂層１２と紙層１４とがホットメルト層１３によって接着されて構成されている。このように構成されたスレッド１０は、例えば、多槽式円網抄紙機を用いて２つの紙シート３０間に漉き込まれている。なお、このスレッド１０の構造については、上述したように樹脂層１２と紙層１４とが積層されたものの他に、２つの樹脂層がＩＣチップ１１を挟んで積層されたものや、２つの紙層がＩＣチップ１１を挟んで積層されたものや、１層の樹脂層にＩＣチップ１１が埋め込まれたもの等が考えられる。
【００２０】
また、本形態においては、ＩＣチップ１１がスレッド１０としてシート部材となる紙シート３０に埋め込まれた構成としているが、スレッド１０を用いずにＩＣチップ１１単体でシート部材に埋め込むことも考えられる。その場合は、例えば、シート部材としてフィルム等の樹脂シートを用い、樹脂シートを熱によって溶融させてＩＣチップ１１を埋め込むことが考えられる。
【００２１】
以下に、上記のように構成されたＩＣチップ入りシート１の利用方法について、ＩＣチップ入りシート１をマレーシアの車両重量税納税管理制度に利用した場合を例に挙げて説明する。
【００２２】
図２は、図１に示したＩＣチップ入りシート１を貼着可能な構成とした納税証明シートの一例を示す図であり、（ａ）は表面から見た図、（ｂ）は（ａ）に示したＡ−Ａ’断面図である。また、図３は、図２に示した納税証明シートを用いた車両重量税管理システムの一例を示す図である。
【００２３】
本形態における納税証明シート３は図２に示すように、図１に示したＩＣチップ入りシート１のブースターアンテナ２０が形成された面に、車両重量税を納税していることを示す納税証明情報３１が印刷され、また、ＩＣチップ入りシート１の他方の面に、一方の面に粘着剤２ａが塗布された粘着シート２が貼着されて構成されている。この粘着シート２は、ＩＣチップ入りシート１よりもその大きさが大きく、ＩＣチップ入りシート１は、粘着シート２の粘着剤２ａが塗布された面内に粘着剤２ａによって貼着されている。これにより、粘着シート２の粘着剤２ａが塗布された面のうち、ＩＣチップ入りシート１が貼着されていない領域の粘着剤２ａによって納税証明シート３が被貼着体に貼着されることになる。なお、本形態における納税証明シート３は、マレーシアの車両重量税納税管理制度に用いられるものであるため、実際には、納税証明情報３１はマレーシア語で記述されている。
【００２４】
上記のように構成された納税証明シート３は、図３に示すように、車両重量税の納税を証明する車両５０のフロントガラス５１の内側に、粘着シート２の粘着剤２ａが塗布された面のうち、ＩＣチップ入りシート１が貼着されていない領域の粘着剤２ａによって貼着される。
【００２５】
納税証明シート３がフロントガラス５１に貼着された車両５０の車両重量税の納税状況を照会する場合、納税証明シート３を構成するＩＣチップ入りシート１に埋め込まれたＩＣチップ１１に書き込まれた情報を読み出し可能なハンディターミナル６０を車両５０のフロントガラス５１の外側から近接させると、ＩＣチップ１１に書き込まれた、ＩＣチップ１１のシリアル番号がハンディターミナル６０にて読み出される。この際、納税証明シート３を構成するＩＣチップ入りシート１においては、その表面のうち、ＩＣチップ１１が埋め込まれた領域の周囲にブースターアンテナ２０が形成されているため、ＩＣチップ入りシート１にＩＣチップ１１のみが埋め込まれている場合と比べて、ハンディターミナル６０とフロントガラス５１との距離が離れた状態でＩＣチップ１１から情報を読み出すことができる。また、このブースターアンテナ２０は、フロントガラス５１に当接する面に形成されているため、フロントガラス５１を介して視認可能であり、それにより、ＩＣチップ１１が埋め込まれた領域を認識することができ、ハンディターミナル６０をＩＣチップ１１が埋め込まれた領域に容易に近接させることができる。
【００２６】
ハンディターミナル６０にて読み出されたＩＣチップ１１のシリアル番号は通信回線８０を介して管理サーバ７０に送信される。
【００２７】
管理サーバ７０においては、ＩＣチップ１１に書き込まれたＩＣチップ１１のシリアル番号と、そのシリアル番号によって特定されるＩＣチップ１１が内蔵された納税証明シート３が貼着された車両５０の納税状況とが対応づけて納税管理データベース７１として管理されており、通信回線８０を介してハンディターミナル６０から送信されてきたＩＣチップ１１のシリアル番号に対応づけて納税管理データベース７１として管理されている納税状況が検索され、検索された納税状況が管理サーバ７０から通信回線８０を介してハンディターミナル６０に送信される。
【００２８】
管理サーバ７０からハンディターミナル６０に送信された納税状況はハンディターミナル６０にて表示され、それにより、ハンディターミナル６０において、ハンディターミナル６０を近接させた納税証明シート３がフロントガラス５１に貼着された車両５０の納税状況を確認することができる。
【００２９】
また、納税証明シート３に、納税証明情報３１として証明書番号を印刷しておき、また、管理サーバ７０において、この証明書番号と、証明書番号によって特定される納税証明シート３に埋め込まれたＩＣチップ１１のシリアル番号とを対応づけて管理しておき、ハンディターミナル６０からＩＣチップ１１のシリアル番号が通信回線８０を介して送信されてきた場合に、そのシリアル番号と対応づけて管理されている証明書番号を検索してハンディターミナル６０に送信し、ハンディターミナル６０において、管理サーバ７０から送信されてきた証明書番号と納税証明シート３に印刷された証明書番号とを照合することで、その納税証明シート３がフロントガラス５１に貼着された車両５０の納税状況を確認することも考えられる。
【００３０】
（第２の実施の形態）
図４は、本発明のＩＣチップ入りシートの第２の実施の形態を示す図であり、（ａ）は表面から見た図、（ｂ）は（ａ）に示したＡ−Ａ’断面図、（ｃ）は裏面から見た図である。
【００３１】
本形態は図４に示すように、非接触状態にて情報の読み出しが可能なＩＣチップ１１がシート部材である紙シート３０に埋め込まれ、また、この紙シート３０の表面のうち一方の面のＩＣチップ１１が埋め込まれた領域の周囲に導電性材料からなるブースターアンテナ２０が印刷によって形成され、さらに、紙シート３０の他方の面のＩＣチップ１１が埋め込まれた領域に、ＩＣチップ１１の位置を示すチップ位置表示マーク３２ａが印刷されることにより印刷層３２が形成されて構成されている。ＩＣチップ１１は、半導体素子及びアンテナ（ともに不図示）が内蔵されており、ＩＣチップ１１に対して情報の読み出しを行う情報読出装置を近接させると、半導体素子に書き込まれた情報がアンテナを介して読み出される。なお、ＩＣチップ１１においては、情報の書き込みを可能に構成することも考えられ、その場合、ＩＣチップ１１に対して情報の書き込み及び読み出しを行う情報書込／読出装置をＩＣチップ１１に近接させると、半導体素子に書き込まれた情報がアンテナを介して読み出されたり、アンテナを介して半導体素子に情報が書き込まれたりする。また、ブースターアンテナ２０は、紙シート３０の表面のうち一方の面のＩＣチップ１１が埋め込まれた領域の周囲に、その一部が開放されるような形状に、スクリーン印刷、電子写真方式、あるいはグラビア印刷等の印刷方式によって、導電性インキを用いて形成されている。
【００３２】
なお、シート部材となる紙シート３０へのＩＣチップ１１の埋め込み方法としては、第１の実施の形態にて示したようにスレッドを用いることや、シート部材としてフィルム等の樹脂シートを用い、樹脂シートを熱によって溶融させてＩＣチップ１１を単体で埋め込むことが考えられる。
【００３３】
以下に、上記のように構成されたＩＣチップ入りシート１０１の利用方法について、ＩＣチップ入りシート１０１をマレーシアの車両重量税納税管理制度に利用した場合を例に挙げて説明する。
【００３４】
図５は、図４に示したＩＣチップ入りシート１０１を貼着可能な構成とした納税証明シートの一例を示す図であり、（ａ）は表面から見た図、（ｂ）は（ａ）に示したＡ−Ａ’断面図である。
【００３５】
本形態における納税証明シート１０３は図５に示すように、図４に示したＩＣチップ入りシート１０１のチップ位置表示マーク３２ａが印刷された面に、車両重量税を納税していることを示す納税証明情報３１が印刷され、また、ＩＣチップ入りシート１０１のブースターアンテナ２０が形成された面に、一方の面に粘着剤２ａが塗布された粘着シート２が貼着されて構成されている。この粘着シート２は、ＩＣチップ入りシート１０１よりもその大きさが大きく、ＩＣチップ入りシート１０１は、粘着シート２の粘着剤２ａが塗布された面内に粘着剤２ａによって貼着されている。これにより、粘着シート２の粘着剤２ａが塗布された面のうち、ＩＣチップ入りシート１０１が貼着されていない領域の粘着剤２ａによって納税証明シート１０３が被貼着体に貼着されることになる。
【００３６】
上記のように構成された納税証明シート１０３を図３に示した車両重量税管理システムに用いる場合、図５に示した納税証明シート１０３は、車両重量税の納税を証明する車両５０のフロントガラス５１の内側に、粘着シート２の粘着剤２ａが塗布された面のうち、ＩＣチップ入りシート１０１が貼着されていない領域の粘着剤２ａによって貼着され、納税証明シート１０３に埋め込まれたＩＣチップ１１に書き込まれた情報がハンディターミナル６０によって読み出されることになる。
【００３７】
その際、納税証明シート１０３を構成するＩＣチップ入りシート１０１においては、その表面のうち、ＩＣチップ１１が埋め込まれた領域の周囲にブースターアンテナ２０が形成されているため、ＩＣチップ入りシート１０１にＩＣチップ１１のみが埋め込まれている場合と比べて、ハンディターミナル６０とフロントガラス５１との距離が離れた状態でＩＣチップ１１から情報を読み出すことができる。また、本形態においては、納税証明シート１０３を構成するＩＣチップ入りシート１０１のフロントガラス５１に当接する面には、ＩＣチップ１１が埋め込まれた領域にＩＣチップ１１の位置を示すチップ位置表示マーク３２ａが印刷されているため、ＩＣチップ１１が埋め込まれた領域をフロントガラス５１を介して認識することができ、ハンディターミナル６０をＩＣチップ１１が埋め込まれた領域に容易に近接させることができる。そのため、印刷層３２を構成するチップ位置表示マーク３２ａにおいては、ＩＣチップ１１が埋め込まれた領域であることを示す情報や、ハンディターミナル６０を近接させる領域であることを示す情報等を、例えば、図５に示したように矢印等によって表現することが考えられる。
【００３８】
（第３の実施の形態）
図６は、本発明のＩＣチップ入りシートの第３の実施の形態を示す図であり、（ａ）は表面から見た図、（ｂ）は（ａ）に示したＡ−Ａ’断面図である。
【００３９】
本形態は図６に示すように、非接触状態にて情報の読み出しが可能なＩＣチップ１１が埋め込まれたシート部材である紙シート１３０と、紙シート１３０よりもその大きさが大きく、一方の面に粘着剤２ａが塗布された粘着シート２とが、粘着シート２の粘着剤２ａが塗布された面内に紙シート１３０が粘着剤２ａによって貼着されて構成されており、さらに、紙シート１３０のＩＣチップ１１が埋め込まれた領域の周囲には、貫通穴３３が形成されている。なお、ＩＣチップ１１は、半導体素子及びアンテナ（ともに不図示）が内蔵されており、ＩＣチップ１１に対して情報の読み出しを行う情報読出装置を近接させると、半導体素子に書き込まれた情報がアンテナを介して読み出される。ＩＣチップ１１においては、情報の書き込みを可能に構成することも考えられ、その場合、ＩＣチップ１１に対して情報の書き込み及び読み出しを行う情報書込／読出装置をＩＣチップ１１に近接させると、半導体素子に書き込まれた情報がアンテナを介して読み出されたり、アンテナを介して半導体素子に情報が書き込まれたりする。
【００４０】
なお、シート部材となる紙シート１３０へのＩＣチップ１１の埋め込み方法としては、第１の実施の形態にて示したようにスレッドを用いることや、シート部材としてフィルム等の樹脂シートを用い、樹脂シートを熱によって溶融させてＩＣチップ１１を単体で埋め込むことが考えられる。
【００４１】
上記のように構成されたＩＣチップ入りシート２０１においては、第１の実施の形態にて示した納税証明シート３と同様に、車両の重量税の納税を証明するために車両５０のフロントガラス５１に貼着して使用されることが考えられる。
【００４２】
図７は、図６に示したＩＣチップ入りシート２０１を図３に示したような車両重量税管理システムに用いるために車両５０のフロントガラス５１に貼着した状態を説明するための図である。
【００４３】
図７に示すように、図６に示したＩＣチップ入りシート２０１を図３に示した車両５０のフロントガラス５１に貼着すると、粘着シート２の粘着剤２ａが塗布された面のうち、ＩＣチップ入りシート２０１が貼着されていない領域の粘着剤２ａによってＩＣチップ入りシート２０１がフロントガラス５１に貼着されることになるが、さらに、粘着シート２の粘着剤２ａが塗布された面は、このＩＣチップ入りシート２０１を構成する紙シート１３０のＩＣチップ１１が埋め込まれた領域の周囲に形成された貫通穴３３を介してもフロントガラス５１に当接する。そのため、ＩＣチップ１１が埋め込まれた領域の周囲もフロントガラス５１に貼着されることになり、それにより、ＩＣチップ１１がフロントガラス５１に近接し、図３に示したようにフロントガラス５１の外側からハンディターミナル６０によってＩＣチップ１１に書き込まれた情報を容易に読み出すことができるようになる。
【００４４】
なお、本形態においては、第１及び第２の実施の形態にて示したブースターアンテナ２０が形成されていないが、紙シート１３０の表面のうちＩＣチップ１１の周囲に、貫通穴３３を避けるように導電性インキを用いた印刷によってブースターアンテナを形成することも考えられる。
【００４５】
また、上述した３つの実施の形態においては、ＩＣチップ１１がＩＣチップ入りシート１，１０１，２０１から露出しないように埋め込まれているが、ＩＣチップ１１の一部が露出するようにＩＣチップ入りシート１，１０１，２０１に埋め込む構成とすることも考えられる。
【図面の簡単な説明】
【００４６】
【図１】本発明のＩＣチップ入りシートの第１の実施の形態を示す図であり、（ａ）は表面から見た図、（ｂ）は（ａ）に示したＡ−Ａ’断面図である。
【図２】図１に示したＩＣチップ入りシートを貼着可能な構成とした納税証明シートの一例を示す図であり、（ａ）は表面から見た図、（ｂ）は（ａ）に示したＡ−Ａ’断面図である。
【図３】図２に示した納税証明シートを用いた車両重量税管理システムの一例を示す図である。
【図４】本発明のＩＣチップ入りシートの第２の実施の形態を示す図であり、（ａ）は表面から見た図、（ｂ）は（ａ）に示したＡ−Ａ’断面図、（ｃ）は裏面から見た図である。
【図５】図４に示したＩＣチップ入りシートを貼着可能な構成とした納税証明シートの一例を示す図であり、（ａ）は表面から見た図、（ｂ）は（ａ）に示したＡ−Ａ’断面図である。
【図６】本発明のＩＣチップ入りシートの第３の実施の形態を示す図であり、（ａ）は表面から見た図、（ｂ）は（ａ）に示したＡ−Ａ’断面図である。
【図７】図６に示したＩＣチップ入りシートを図３に示したような車両重量税管理システムに用いるために車両のフロントガラスに貼着した状態を説明するための図である。
【符号の説明】
【００４７】
１，１０１，２０１    ＩＣチップ入りシート
２    粘着シート
２ａ    粘着剤
３，１０３    納税証明シート
１０    スレッド
１１    ＩＣチップ
１２    樹脂層
１３    ホットメルト層
１４    紙層
２０    ブースターアンテナ
３０，１３０    紙シート
３１    納税証明情報
３２    印刷層
３２ａ    チップ位置表示マーク
３３    貫通穴
５０    車両
５１    フロントガラス
６０    ハンディターミナル
７０    管理サーバ
７１    納税管理データベース
８０    通信回線
【図１】
2005352886.tif 000003
【図２】
2005352886.tif 000004
【図３】
2005352886.tif 000005
【図４】
2005352886.tif 000006
【図５】
2005352886.tif 000007
【図６】
2005352886.tif 000008
【図７】
2005352886.tif 000009